(57)【要約】      （修正有）【課題】施工が行いやすいとともに、透湿防水シートの貼り位置を容易に直すことができる水切りを提供する。【解決手段】建築物の構造躯体に固定する背板部１ａと、該背板部の下方において前方斜め下方へ屈曲した水切り板部Ａ１と、該水切り板部の前端から下方へ屈曲した前板部１ｃとを有する水切りであって、該背板部の表面には、粘着層１ｄが点在している。また、該背板部の裏面にも粘着層が点在していることが好ましく、更に、該背板部の表面及び／又は裏面の粘着層は、剥離可能なシートにより覆われていることが好ましい。更に、剥離可能なシートは、一枚のシートであり、該背板部の上端縁、左端縁、右端縁の少なくともいずれかをも覆っていることが好ましい。【選択図】図１
0003157333.tif 000002
【実用新案登録請求の範囲】
【請求項１】
建築物の構造躯体に固定する背板部と、該背板部の下方において前方斜め下方へ屈曲した水切り板部と、該水切り板部の前端から下方へ屈曲した前板部とを有する水切りであって、
背板部の表面には、粘着層が点在している
ことを特徴とする水切り。
【請求項２】
請求項１に記載の水切りであって、
前記背板部の裏面には、粘着層が点在している
ことを特徴とする水切り。
【請求項３】
請求項１に記載の水切りであって、
前記背板部の表面の粘着層は、剥離可能なシートにより覆われている
ことを特徴とする水切り。
【請求項４】
請求項２に記載の水切りであって、
前記背板部の裏面の粘着層は、剥離可能なシートにより覆われている
ことを特徴とする水切り。
【請求項５】
請求項２に記載の水切りであって、
前記背板部の表面と裏面の粘着層は、剥離可能なシートにより覆われている
ことを特徴とする水切り。
【請求項６】
請求項５に記載の水切りであって、
前記剥離可能なシートは、一枚のシートであり、前記背板部の上端縁、左端縁、右端縁の少なくともいずれかをも覆っている
ことを特徴とする水切り。
【考案の詳細な説明】
【技術分野】
【０００１】
本考案は、建築物に配設されるとともに、外壁材の表面を伝って流下してきた雨水を前方へ排出する水切りに関するものである。
【背景技術】
【０００２】
従来、水切りは、金属板を切断、折り曲げて製造された、水平方向に長い形状であり、建築物の外壁の表面を流下した雨水が建築物内部に侵入するのを防ぐために、建築物の土台部や、上下に配置された外壁板の間などに配設されている。
【０００３】
例えば、非特許文献１には、釘などにより固定される取付壁部と、該取付壁部の下端から前方斜め下方へ屈曲した傾斜突出壁部と、該傾斜突出壁部の前端から下方へ屈曲した突出端壁部とからなる水切りが開示されている。そして、該取付壁部を釘により建築物の土台に固定して、該水切りを建築物の土台部に固定すること、及びそれにより外壁の外面を伝って流下してきた雨水を外方に導いて滴下させることが記載されている。
【０００４】
また、特許文献１には、薄板状の塩ビ鋼板を折り曲げて断面視Ｚ状に形成した、取付部と、該取付部の下端に形成された水切り部とを備えた水切りが開示されている。なお、水切り部は、取付部の下端から下側の外装材の表面上端部に向かって、該外装材の裏面側から表面側に傾斜するようにして配置され、該外装材の上端面を覆う延出部と、該延出部の先端部から該外装材の表面に沿って下方に延出し、該外装材の表面上端部を覆う別の延出部と、該別の延出部の先端部から該外装材の裏面側に向かって上方に延出する突起部とを備えることも開示されている。そして、該取付部を、上側の外装材と、下側の外装材との間から挿入し、該取付部にビスなどの止着材を打ち込んで固定し、該水切りにより、上側の外装材と下側の外装材の裏面側に雨水などの水が侵入するのを防止することが記載されている。
【０００５】
更に、特許文献２には、一枚の長尺な面材からなり、外壁本体に取り付けられる取付部と、該取付部から曲折して設けられた傾斜面と、該傾斜面から更に曲折する露出面とで構成された水切りが開示されている。そして、該水切を、外壁と下屋とが接続される下屋接続部に配することにより、該下屋接続部を防水することが開示されている。
【０００６】
このように、水切りは、建築物の土台部や、上下に配置された外壁板の間、外壁と下屋とが接続される下屋接続部などに施工され、それにより外壁材の表面を伝って流下してきた雨水を前方へ排出する。
【０００７】
そして、いずれの施工構造にも共通することとして、外壁板と構造躯体の間には透湿防水シートが配されており、それにより該構造躯体の防水が行われている。該透湿防水シートは、該構造躯体に固定された水切りの表面の一部をも覆うよう設けられており、通常、該透湿防水シートの下端は、粘着テープにより水切りに貼り付けられている。なお、風で該透湿防水シートがばたつくことを防ぐためや、吹き返しなどによる下側からの雨水の浸入を防ぐために、該粘着テープは、水切りの長手方向全体に渡って、該透湿防水シートの下端を塞ぐように貼り付けられる。
【０００８】
そのため、水切りに粘着シートを貼る作業は手間がかかる。また、透湿防水シート又は粘着テープの貼り位置を直す場合には、該粘着テープと該透湿防水シートが強固に接着し、該透湿防水シートが破れやすいという問題もある。更に、透湿防水シート又は粘着テープの貼り位置を直すことが難しいので、透湿防水シートを貼る際に皺が発生しても直せないという問題もある。
【０００９】
そこで、特許文献３には、水切りの固定基体となる取付部の前面に、両面粘着テープなどの粘着テープが予め貼付けられている水切りが開示されている。
【００１０】
特許文献３の水切りによれば、取付部の前面に粘着テープが予め貼付けられているので、作業は軽減する。しかし、透湿防水シート又は粘着テープの貼り位置を直す場合に該透湿防水シートが破れやすいという問題は解決できておらず、該透湿防水シートを貼る際に皺が発生しても直せないという問題も解決できない。
【先行技術文献】
【特許文献】
【００１１】
【特許文献１】特開２００３−９６９３１号公報
【特許文献２】特開２００２−１２１８７１号公報
【特許文献３】特開２００４−３００８７３号公報
【非特許文献】
【００１２】
【非特許文献１】登録実用新案第３０３１１２３号公報
【考案の概要】
【考案が解決しようとする課題】
【００１３】
本考案は、施工が行いやすいとともに、透湿防水シートの貼り位置を容易に直すことができる水切りを提供するものである。
【課題を解決するための手段】
【００１４】
本考案は、建築物の構造躯体に固定する背板部と、該背板部の下方において前方斜め下方へ屈曲した水切り板部と、該水切り板部の前端から下方へ屈曲した前板部とを有する水切りであって、該背板部の表面には、粘着層が点在していることを特徴とする水切りを提供する。また、本考案では、該背板部の裏面にも粘着層が点在していると、施工の際に、該水切りを容易に仮止めすることができるとともに、容易に位置を調整できるので好ましい。更に、本考案では、該背板部の表面及び／又は裏面の粘着層は、剥離可能なシートにより覆われていると、保管、運搬の際に、該粘着層の粘着性能が損なわれないと共に、水切り同士で接着することが防げるので好ましい。更に、剥離可能なシートは、一枚のシートであり、該背板部の上端縁、左端縁、右端縁の少なくともいずれかをも覆っていると、保管、運搬の際に、該背板部の上端縁、左端縁、右端縁により他の水切り、他の商品が損傷を受けることを防げると共に、運搬する人が怪我をすることも防げるので、好ましい。
なお、水切りは、ガルバリウム鋼板（登録商標）、ガルタイト鋼板（登録商標）、アルミ鋼板、ステンレス鋼板、合金めっき鋼板、トタン、銅板などの金属板や、フェノール樹脂、アクリル樹脂、エポキシ樹脂などの樹脂板を折り曲げ加工、又は押出加工することにより製造されている。また、粘着層は、アクリル酸エステル共重合体からなるアクリル系粘着剤、天然ゴムからなるゴム系粘着剤、シリコーンゴムからなるシリコーン系粘着剤、ウレタン樹脂からなるウレタン系粘着剤、スチレンーブタジエンースチレン共重合体やスチレンーブタジエンーエチレン−スチレン共重合体などからなるホットメルト系粘着剤などにより形成されているが、一般的な接着剤により形成しても良い。そして、剥離可能なシートは、半晒、上質紙、グラシン紙などからなる基材の粘着層との剥離側に、ポリエチレン、ポリビニルアルコール、クレーコートなどにより目止め層が形成され、更にその上にシリコーン樹脂などにより剥離層を形成しているシートである。
【考案の効果】
【００１５】
本考案によれば、施工が行いやすいとともに、透湿防水シートの貼り位置を容易に直すことができる水切りを提供することができる。
【図面の簡単な説明】
【００１６】
【図１】図１は、本考案にかかる水切りの一実施例を、右斜め前方より見た斜視図である。
【図２】図２は、図１に示す水切りを、右斜め後方より見た斜視図である。
【図３】図３は、図１、２に示す水切りを用いて形成された建築物の土台部の施工状態を示す断面図である。
【図４】図４は、本考案にかかる水切りの他の実施例を、右斜め前方より見た斜視図である。
【図５】図５は、本考案にかかる水切りの更に他の実施例を、右斜め前方より見た斜視図である。
【図６】図６は、本考案にかかる水切りの更に他の実施例を、右斜め前方より見た斜視図である。
【図７】図７は、本考案にかかる水切りの更に他の実施例を、右斜め前方より見た斜視図である。
【図８】図８は、本考案にかかる水切りの更に他の実施例を、右斜め前方より見た斜視図である。
【図９】図９は、図８に示す水切りを、右斜め後方より見た斜視図である。
【図１０】図１０は、図８、９に示す水切りを用いて形成された建物の土台部の施工状態を示す断面図である。
【図１１】図１１は、本考案にかかる水切りの更に他の実施例を、右斜め前方より見た斜視図である。
【図１２】図１２は、図１１に示す水切りを、右斜め後方より見た斜視図である。
【図１３】図１３は、本考案にかかる水切りの更に他の実施例を、右斜め前方より見た斜視図である。
【図１４】図１４は、図１３に示す水切りを、右斜め後方より見た斜視図である。
【図１５】図１５は、本考案にかかる水切りの更に他の実施例を、右斜め前方より見た斜視図である。
【図１６】図１６は、図１５に示す水切りを、右斜め後方より見た斜視図である。
【図１７】図１７は、本考案にかかる水切りの更に他の実施例を、右斜め前方より見た斜視図である。
【図１８】図１８は、図１５に示す水切りを、右斜め後方より見た斜視図である。
【考案を実施するための形態】
【００１７】
以下、図面を参照しながら本考案について詳細に説明する。
【００１８】
図１は、本考案にかかる水切りの一実施例を、右斜め前方より見た斜視図であり、図２は、図１に示す水切りを、右斜め後方より見た斜視図である。
図１、図２に示す水切りＡ１は、１枚のガルバリウム鋼板（登録商標）を折曲加工して製造されており、建築物の構造躯体に固定する背板部１ａと、背板部１ａの下方において前方斜め下方へ屈曲した水切り板部１ｂと、水切り板部１ｂの前端から下方へ屈曲した前板部１ｃが連結して形成されている。詳しくは、背板部１ａは、平坦な板部である。背板部１ａの下方端部からは水切り板部１ｂが、前方斜め下方へ延びている。水切り板部１ｂの前端からは前板部１ｃが、下方に延びている。そして、背板部１ａの表面には、複数の円形の粘着層１ｄが、上下及び左右に直列状に整列して点在している。
【００１９】
図３は、図１、２に示す水切りを用いて形成された建築物の土台部の施工状態を示す断面図である。
図３では、図１、図２に示す水切りＡ１は、背板部１ａの裏面を建築物の構造躯体に当接するとともに、水切り板部１ｂと前板部１ｃが外壁板Ｄより下方となり、更に前板部１ｃが外壁板Ｄと建築物の構造躯体より前方になる位置に固定してある。そして、水切りＡ１の背板部１ａの表面には、透湿防水シートＢが、粘着層１ｄにより固定されている。更に、透湿防水シートＢの表面には、胴縁がビスＣにより固定されており、該胴縁の表面には、外壁板Ｄが固定されている。この施工構造は、水切りＡ１を建築物の構造躯体に固定し、それから、水切りＡ１の背板部１ａの表面に透湿防水シートＢを固定するのだが、水切りＡ１の背板部１ａの表面には複数の粘着層１ｄが点在しているので、粘着層１ｄにより透湿防水シートＢを固定することができる。また、透湿防水シートＢの貼り位置を直す場合にも、胴縁が固定される前であれば、透湿防水シートＢの剥がしと再固定を容易に行うことができる。更に、透湿防水シートＢを貼る際に皺が発生しても、容易に直すことができる。
よって、図１、２に示す水切りＡ１によれば、施工が行いやすいとともに、透湿防水シートＢの貼り位置を容易に直すことができる。
【００２０】
図４は、本考案にかかる水切りの他の実施例を、右斜め前方より見た斜視図である。
図４に示す水切りＡ２も、図１、図２に示す水切りＡ１と同じように、１枚のガルバリウム鋼板（登録商標）を折曲加工して製造されており、背板部２ａと、水切り板部２ｂと、前板部２ｃが連結して形成されており、背板部２ａの表面には、複数の円形の粘着層２ｄが点在している。また、水切りＡ２を右斜め後方より見ると、図２と同じである。しかし、水切りＡ２は、水切りＡ１とは粘着層の配列が異なる。水切りＡ２では、背板部２ａの表面には、複数の円形の粘着層２ｄが、上下及び左右に整列して点在しているが、直近の上下の配列位置は異なる。
しかし、図４に示す水切りＡ２においても、図３に示す施工状態を行うことができ、図１、図２に示す水切りＡ１と同じ効果を得ることができる。
【００２１】
図５は、本考案にかかる水切りの更に他の実施例を、右斜め前方より見た斜視図である。
図５に示す水切りＡ３も、図１、図２に示す水切りＡ１と同じように、１枚のガルバリウム鋼板（登録商標）を折曲加工して製造されており、背板部３ａと、水切り板部３ｂと、前板部３ｃが連結して形成されており、背板部３ａの表面には、複数の円形の粘着層３ｄが点在している。また、水切りＡ３を右斜め後方より見ると、図２と同じである。しかし、水切りＡ３は、水切りＡ１とは粘着層の配列が異なる。水切りＡ３では、背板部３ａの表面には、複数の円形の粘着層３ｄが、上下及び左右に整列して点在しているが、直近の上下の配列位置は異なる。また、粘着層３ｄの上下の配列は、４列しかなく、２列を隣接して配し、間隔をあけて、別の２列を隣接して配している。
しかし、図５に示す水切りＡ３においても、図３に示す施工状態と同様に透湿防水シートを固定することができ、図１、図２に示す水切りＡ１と同じ効果を得ることができる。
【００２２】
図６は、本考案にかかる水切りの更に他の実施例を、右斜め前方より見た斜視図である。
図６に示す水切りＡ４も、図１、図２に示す水切りＡ１と同じように、１枚のガルバリウム鋼板（登録商標）を折曲加工して製造されており、背板部４ａと、水切り板部４ｂと、前板部４ｃが連結して形成されており、背板部４ａの表面には、複数の円形の粘着層４ｄが点在している。また、水切りＡ４を右斜め後方より見ると、図２と同じである。しかし、水切りＡ４は、水切りＡ１とは粘着層の大きさと配列が異なる。水切りＡ４では、背板部４ａの表面には、複数の円形の粘着層４ｄが、上下及び左右に整列して点在しているが、粘着層４ｄは水切りＡ１の粘着層１ｄに比べると大きい。また、粘着層４ｄの上下の配列は、２列しかなく、かつ、間隔をあけて配列している。
しかし、図６に示す水切りＡ４においても、図３に示す施工状態と同様に透湿防水シートを固定することができ、図１、図２に示す水切りＡ１と同じ効果を得ることができる。
【００２３】
図７は、本考案にかかる水切りの更に他の実施例を、右斜め前方より見た斜視図である。
図７に示す水切りＡ５も、図１、図２に示す水切りＡ１と同じように、１枚のガルバリウム鋼板（登録商標）を折曲加工して製造されており、背板部５ａと、水切り板部５ｂと、前板部５ｃが連結して形成されており、背板部５ａの表面には、複数の円形の粘着層５ｄが点在している。また、水切りＡ５を右斜め後方より見ると、図２と同じである。しかし、水切りＡ５は、水切りＡ１とは粘着層の大きさと配列が異なる。水切りＡ５では、背板部５ａの表面には、複数の円形の粘着層５ｄが、上下及び左右に点在しているが、粘着層５ｄは水切りＡ１の粘着層１ｄに比べると大きい。また、粘着層５ｄは、直近の上下の配列位置は異なる。
しかし、図７に示す水切りＡ５においても、図３に示す施工状態と同様に透湿防水シートを固定することができ、図１、図２に示す水切りＡ１と同じ効果を得ることができる。
【００２４】
図８は、本考案にかかる水切りの更に他の実施例を、右斜め前方より見た斜視図であり、図９は、図８に示す水切りを、右斜め後方より見た斜視図である。
図８、図９に示す水切りＡ６を右斜め前方より見ると、図１に示す水切りＡ１と同じである。すなわち、１枚のガルバリウム鋼板（登録商標）を折曲加工して製造されており、背板部６ａと、水切り板部６ｂと、前板部６ｃが連結して形成されており、背板部６ａの表面には、複数の円形の粘着層６ｄが、上下及び左右に直列状に整列して点在している。しかし、水切りＡ６は、水切りＡ１とは背板部６ａの裏面に複数の円形の粘着層７ｄを有することが異なる。水切りＡ６では、背板部６ａの裏面には、複数の円形の粘着層７ｄが、上下及び左右に直列状に整列して点在している。
【００２５】
図１０は、図８、９に示す水切りを用いて形成された建築物の土台部の施工状態を示す断面図である。
図１０では、図８、図９に示す水切りＡ６は、図３に示す水切りＡ１と同様に、背板部６ａの裏面を建築物の構造躯体に当接するとともに、水切り板部６ｂと前板部６ｃが外壁板Ｄより下方となり、更に前板部６ｃが外壁板Ｄと建築物の構造躯体より前方になる位置に固定してある。そして、水切りＡ６の背板部６ａの表面には、透湿防水シートＢが、粘着層６ｄにより固定されている。更に、透湿防水シートＢの表面には、胴縁がビスＣにより固定されており、該胴縁の表面には、外壁板Ｄが固定されている。この施工構造は、水切りＡ６を建築物の構造躯体に固定し、それから、水切りＡ６の背板部６ａの表面に透湿防水シートＢを固定することにより得られるが、水切りＡ６の背板部６ａの表面には複数の粘着層６ｄが点在しているので、粘着層６ｄにより透湿防水シートＢを固定することができとともに、透湿防水シートＢの貼り位置を直す場合にも、透湿防水シートＢの剥がしと再固定を容易に行うことができる。更に、水切りＡ６は、背板部６ａの裏面に複数の粘着層７ｄを有するので、施工の際に、水切りＡ６を構造躯体に釘やビスなどを用いなくても仮止めすることができる。また、仮止めの際には、水切りＡ６は、背板部６ａの裏面の粘着層７ｄにより固定されているだけであり、剥がしと再固定を容易に行うことができるので、容易に位置を調整することができる。
よって、図８、図９に示す水切りＡ６によれば、施工が行いやすいとともに、透湿防水シートＢの貼り位置を容易に直すことができる。また、釘やビスなどを用いなくても、水切りＡ６を構造躯体に仮止めすることができる。
【００２６】
図１１は、本考案にかかる水切りの更に他の実施例を、右斜め前方より見た斜視図であり、図１２は、図１１に示す水切りを、右斜め後方より見た斜視図である。
図１１、図１２に示す水切りＡ７を右斜め前方より見ると、図７に示す水切りＡ５と同じである。すなわち、１枚のガルバリウム鋼板（登録商標）を折曲加工して製造されており、背板部７ａと、水切り板部７ｂと、前板部７ｃが連結して形成されており、背板部７ａの表面には、複数の円形の粘着層８ｄが、上下及び左右に点在している。しかし、水切りＡ７は、水切りＡ５とは背板部７ａの裏面に複数の円形の粘着層９ｄを有することが異なる。水切りＡ７では、背板部７ａの裏面には、複数の円形の粘着層９ｄが、上下及び左右に、直近の上下の配列位置は異なるよう点在している。なお、粘着層９ｄは、水切りＡ６の粘着層７ｄに比べると大きい。
しかし、図１１、図１２に示す水切りＡ７においても、図１０に示す施工状態と同様に透湿防水シートを固定することができ、図８、図９に示す水切りＡ６と同じ効果を得ることができる。
【００２７】
図１３は、本考案にかかる水切りの更に他の実施例を、右斜め前方より見た斜視図であり、図１４は、図１３に示す水切りを、右斜め後方より見た斜視図である。
図１３、図１４に示す水切りＡ８は、図１１、図１２に示す水切りＡ７の背板部７ａの表面の粘着層８ｄを剥離紙１ｅで覆い、裏面の粘着層９ｄを別の剥離紙２ｅで覆ったものである。剥離紙１ｅ、２ｅは、粘着層８ｄ、９ｄとの接触面に、シリコーン樹脂からなる剥離層を有するので、容易に剥離することができるとともに、剥離紙１ｅ、２ｅを剥がした後の粘着層８ｄ、９ｄは、粘着性能を有する。よって、図１３、図１４に示す水切りＡ８は、図１１、図１２に示す水切りＡ７と同じ効果を得ることができる。また、水切りＡ８の粘着層８ｄ、９ｄが剥離紙１ｅ、２ｅに覆われていることにより、保管、運搬の際に、埃が堆積する、乾燥することなどにより粘着層８ｄ、９ｄの粘着性能が損なわれることを防ぐことができると共に、他の物品に接着することを防ぐことができる。
【００２８】
図１５は、本考案にかかる水切りの更に他の実施例を、右斜め前方より見た斜視図であり、図１６は、図１５に示す水切りを、右斜め後方より見た斜視図である。
図１５、図１６に示す水切りＡ９は、図１１、図１２に示す水切りＡ７の背板部７ａの表面の粘着層８ｄと裏面の粘着層９ｄを一枚の剥離紙３ｅで覆ったものである。剥離紙３ｅは、粘着層８ｄ、９ｄとの接触面に、シリコーン樹脂からなる剥離層を有するので、容易に剥離することができるとともに、剥離紙３ｅを剥がした後の粘着層８ｄ、９ｄは、粘着性能を有する。なお、剥離紙３ｅは、背板部７ａの表面の粘着層８ｄ、背板部７ａの上端縁、背板部７ａの裏面の粘着層９ｄを覆うように配されている。よって、図１５、図１６に示す水切りＡ９も、図１１、図１２に示す水切りＡ７と同じ効果を得ることができる。また、水切りＡ９の粘着層８ｄ、９ｄが剥離紙３ｅに覆われていることにより、保管、運搬の際に、埃が堆積する、乾燥することなどにより粘着層８ｄ、９ｄの粘着性能が損なわれることを防ぐと共に、他の物品に接着することを防ぐことができる。更に、剥離紙３ｅにより、背板部７ａの上端縁は覆われているので、保管、運搬の際に、背板部７ａの上端縁により他の商品が損傷を受けることを防ぐことができるとともに、運搬する人が怪我をすることも防ぐことができる。
【００２９】
図１７は、本考案にかかる水切りの更に他の実施例を、右斜め前方より見た斜視図であり、図１８は、図１７に示す水切りを、右斜め後方より見た斜視図である。
図１７、図１８に示す水切りＡ１０は、図１１、図１２に示す水切りＡ７の背板部７ａの表面の粘着層８ｄと裏面の粘着層９ｄを一枚の剥離紙４ｅで覆ったものである。剥離紙４ｅは、粘着層８ｄ、９ｄとの接触面に、シリコーン樹脂からなる剥離層を有するので、容易に剥離することができるとともに、剥離紙４ｅを剥がした後の粘着層８ｄ、９ｄは、粘着性能を有する。なお、剥離紙４ｅは、背板部７ａの表面の粘着層８ｄ、背板部７ａの右端縁、背板部７ａの裏面の粘着層９ｄを覆うように配されている。よって、図１７、図１８に示す水切りＡ１０も、図１１、図１２に示す水切りＡ７と同じ効果を得ることができる。また、水切りＡ１０の粘着層８ｄ、９ｄが剥離紙４ｅに覆われていることにより、保管、運搬の際に、埃が堆積する、乾燥することなどにより粘着層８ｄ、９ｄの粘着性能が損なわれることを防ぐと共に、他の物品に接着することを防ぐことができる。更に、剥離紙４ｅにより、背板部７ａの右端縁は覆われているので、保管、運搬の際に、背板部７ａの右端縁により他の商品が損傷を受けることを防ぐことができるとともに、運搬する人が怪我をすることも防ぐことができる。
【００３０】
以上に本考案の実施形態について説明したが、本考案はこれに限定されず、実用新案登録請求の範囲に記載の考案の範囲において種々の変形態を取り得る。例えば、背板部の粘着層について、個々の形状として円形を図示してきたが、これに限定されず、点在していれば、菱形、四角形、星形などでも良い。
【産業上の利用可能性】
【００３１】
以上説明したように、本考案によれば、施工が行いやすいとともに、透湿防水シートの貼り位置を容易に直すことができる水切りを提供することができる。
【符号の説明】
【００３２】
Ａ１〜Ａ１０    水切り
Ｂ              透湿防水シート
Ｃ              ビス
Ｄ              外壁板
１ａ〜７ａ      背板部
１ｂ〜７ｂ      水切り板部
１ｃ〜７ｃ      前板部
１ｄ〜９ｄ      粘着層
１ｅ〜４ｅ      剥離紙
【図１】
0003157333.tif 000003
【図２】
0003157333.tif 000004
【図３】
0003157333.tif 000005
【図４】
0003157333.tif 000006
【図５】
0003157333.tif 000007
【図６】
0003157333.tif 000008
【図７】
0003157333.tif 000009
【図８】
0003157333.tif 000010
【図９】
0003157333.tif 000011
【図１０】
0003157333.tif 000012
【図１１】
0003157333.tif 000013
【図１２】
0003157333.tif 000014
【図１３】
0003157333.tif 000015
【図１４】
0003157333.tif 000016
【図１５】
0003157333.tif 000017
【図１６】
0003157333.tif 000018
【図１７】
0003157333.tif 000019
【図１８】
0003157333.tif 000020